(57)【要約】      （修正有）【課題】予定時間内に再生させると決定された複数の広告コンテンツ間に、再生中の楽曲に関連付けられた広告コンテンツを割り込ませる場合であっても、決定された全ての広告コンテンツを予定時間内に精度よく再生させる広告再生装置と再生リスト作成装置とを含むシステムを提供する。【解決手段】広告再生装置により再生される広告コンテンツの再生リストを作成する情報処理装置は、先ず、広告コンテンツを再生する時間を決定し、前記再生時間内に、前記広告再生装置と通信可能な楽曲再生装置により再生可能な楽曲数を決定する。次に、情報処理装置は、決定された楽曲数に基づいて、再生可能な楽曲と関連付けて再生される特定広告コンテンツの再生可能時間を決定し、前記再生時間から前記再生可能時間を除いた許容時間で再生可能な広告コンテンツを決定する。そして、情報処理装置は、決定された広告コンテンツに基づいて、広告コンテンツ再生リストを作成する。【選択図】図２
2014029441.tif 000002
【特許請求の範囲】
【請求項１】
広告再生装置により再生される広告コンテンツの再生リストを作成する情報処理装置であって、
広告再生装置により広告コンテンツを再生する再生時間を決定する第１決定手段と、
前記再生時間内に、前記広告再生装置と通信可能な楽曲再生装置により再生可能な楽曲数を決定する第２決定手段と、
前記第２決定手段により決定された楽曲数に基づいて、前記楽曲再生装置により再生可能な楽曲と関連付けて再生される特定広告コンテンツの再生可能時間を決定する第３決定手段と、
前記再生時間から前記再生可能時間を除いた許容時間で再生可能な広告コンテンツを決定する第４決定手段と、
前記第４決定手段により決定された広告コンテンツに基づいて、前記広告再生装置により再生させる広告コンテンツの再生リストを作成する作成手段と、を備えることを特徴とする情報処理装置。
【請求項２】
広告再生装置と、前記広告再生装置により再生される広告コンテンツの再生リストを作成する再生リスト作成装置とを含むシステムであって、
前記再生リスト作成装置は、
広告再生装置により広告コンテンツを再生する再生時間を決定する第１決定手段と、
前記再生時間内に、前記広告再生装置と通信可能な楽曲再生装置により再生可能な楽曲数を決定する第２決定手段と、
前記第２決定手段により決定された楽曲数に基づいて、前記楽曲再生装置により再生可能な楽曲と関連付けて再生される特定広告コンテンツの再生可能時間を決定する第３決定手段と、
前記再生時間から前記再生可能時間を除いた許容時間で再生可能な広告コンテンツを決定する第４決定手段と、
前記第４決定手段により決定された広告コンテンツに基づいて、前記広告再生装置により再生させる広告コンテンツの再生リストを作成する作成手段と、
を備え、
前記広告再生装置は、
前記再生リスト作成装置から、作成された再生リストを取得する取得手段と、
前記取得手段により取得された再生リストに基づいて、前記広告コンテンツを再生すると共に、前記楽曲再生装置により再生される楽曲に応じて、前記特定広告コンテンツを再生する再生手段と、
を備えることを特徴とするシステム。
【請求項３】
前記再生手段は、前記楽曲再生装置により再生される楽曲が再生中であるときに、前記作成手段により作成された再生リストに基づいて再生される前記広告コンテンツに、前記再生中の楽曲と関連付けて再生されると定められた前記特定広告コンテンツを割り込ませて再生することを特徴とする請求項２に記載のシステム。
【請求項４】
前記再生手段は、前記楽曲再生装置により再生される楽曲が再生中であるときに、前記作成手段により作成された再生リストに基づいて再生される１つの前記広告コンテンツの再生が終了した後に前記特定広告コンテンツを再生することを特徴とする請求項２または３に記載のシステム。
【請求項５】
前記楽曲再生装置は、カラオケ楽曲を出力するカラオケ装置であることを特徴とする請求項２乃至４の何れか一項に記載のシステム。
【請求項６】
広告コンテンツを再生する再生時間を決定する第１決定手段と、
前記再生時間内に、通信可能な楽曲再生装置により再生可能な楽曲数を決定する第２決定手段と、
前記第２決定手段により決定された楽曲数に基づいて、前記楽曲再生装置により再生可能な楽曲と関連付けて再生される特定広告コンテンツの再生可能時間を決定する第３決定手段と、
前記再生時間から前記再生可能時間を除いた前記許容時間で再生可能な広告コンテンツを決定する第４決定手段と、
前記第４決定手段により決定された広告コンテンツに基づいて、前記広告再生装置により再生させる広告コンテンツの再生リストを作成する作成手段と、
前記作成手段により作成された再生リストに基づいて、前記広告コンテンツを再生すると共に、前記楽曲再生装置により再生される楽曲に応じて、前記特定広告コンテンツを再生する再生手段と、
を備えることを特徴とする広告再生装置。
【請求項７】
前記再生手段は、前記楽曲再生装置により再生される楽曲が再生中であるときに、前記作成手段により作成された再生リストに基づいて再生される前記広告コンテンツに、前記特定広告コンテンツを割り込ませて再生することを特徴とする請求項６に記載の広告再生装置。
【請求項８】
前記再生手段は、前記楽曲再生装置により再生される楽曲が再生中であるときに、前記作成手段により作成された再生リストに基づいて再生される１つの前記広告コンテンツの再生が終了した後に前記特定広告コンテンツを再生することを特徴とする請求項６または７に記載の広告再生装置。
【請求項９】
前記広告再生装置は、カラオケ楽曲を再生する楽曲再生手段をさらに備えるカラオケ装置であることを特徴とする請求項６から請求項８のいずれか一項に記載の広告再生装置。
【請求項１０】
広告再生装置により再生される広告コンテンツの再生リストを作成するコンピュータにより実行される再生リスト作成方法であって、
広告再生装置により広告コンテンツを再生する再生時間を決定するステップと、
前記再生時間内に、前記広告再生装置と通信可能な楽曲再生装置により再生可能な楽曲数を決定するステップと、
決定された前記楽曲数に基づいて、前記楽曲再生装置により再生可能な楽曲と関連付けて再生される特定広告コンテンツの再生可能時間を決定するステップと、
前記再生時間から前記再生可能時間を除いた許容時間で再生可能な広告コンテンツを決定するステップと、
決定された前記広告コンテンツに基づいて、前記広告再生装置により再生させる広告コンテンツの再生リストを作成するステップと、
を含むことを特徴とする再生リスト作成方法。
【発明の詳細な説明】
【技術分野】
【０００１】
本発明は、再生中の楽曲に応じた広告コンテンツを再生させる装置及び方法等の技術分野に関する。
【背景技術】
【０００２】
従来、例えばカラオケルームにおいてカラオケ装置で再生される楽曲に対応させて、楽曲に応じた広告コンテンツを再生させたいというニーズがある。関連技術として、特許文献１には、ＣＭなどの情報を再生するカラオケ装置が開示されている。このカラオケ装置は、複数ページからなるＩＣＭ（Interactive Commercial Message）データを記憶し、カラオケ装置の実行動作に応じて、ＩＣＭデータのなかから再生する場面に最適なページを再生する。
【先行技術文献】
【特許文献】
【０００３】
【特許文献１】特開平９−２５８７５１号公報
【発明の概要】
【発明が解決しようとする課題】
【０００４】
再生される広告コンテンツは、カラオケシステムの運営者と広告主との間で、再生させる条件が定められている場合がある。例えば、システム運営者が広告主との取り決めに従って、予定された時間内において再生させる複数の広告コンテンツを決定する場合がある。システム運営者が広告主との取り決めに従って決定された複数の広告コンテンツは、カラオケルームにおいて、予定された時間内で再生される。
【０００５】
しかしながら、カラオケ装置では、このような取り決めに従って再生される複数の広告コンテンツ間に、楽曲に応じた広告コンテンツを割り込ませて再生することにより、広告効果を向上させたいことがある。再生される楽曲に応じて、広告コンテンツを割り込ませて再生させた場合、予定された時間内において再生させると決定された複数の広告コンテンツを予定された時間内に再生することが困難になる。
【０００６】
そこで、本発明は、以上の点等に鑑みてなされたものであり、予定された時間内に再生させると決定された複数の広告コンテンツ間に、再生中の楽曲に関連付けられた広告コンテンツを割り込ませる場合であっても、決定された全ての広告コンテンツを予定された時間内に精度よく再生させることが可能な広告再生装置と再生リスト作成装置とを含むシステム、情報処理装置、広告再生装置、及び再生リスト作成方法を提供する。
【課題を解決するための手段】
【０００７】
上記課題を解決するために、請求項１に記載の発明は、広告再生装置により再生される広告コンテンツの再生リストを作成する情報処理装置であって、広告再生装置により広告コンテンツを再生する再生時間を決定する第１決定手段と、前記再生時間内に、前記広告再生装置と通信可能な楽曲再生装置により再生可能な楽曲数を決定する第２決定手段と、前記第２決定手段により決定された楽曲数に基づいて、前記楽曲再生装置により再生可能な楽曲と関連付けて再生される特定広告コンテンツの再生可能時間を決定する第３決定手段と、前記再生時間から前記再生可能時間を除いた許容時間で再生可能な広告コンテンツを決定する第４決定手段と、前記第４決定手段により決定された広告コンテンツに基づいて、前記広告再生装置により再生させる広告コンテンツの再生リストを作成する作成手段と、を備えることを特徴とする。
【０００８】
請求項２に記載の発明は、広告再生装置と、前記広告再生装置により再生される広告コンテンツの再生リストを作成する再生リスト作成装置とを含むシステムであって、前記再生リスト作成装置は、広告再生装置により広告コンテンツを再生する再生時間を決定する第１決定手段と、前記再生時間内に、前記広告再生装置と通信可能な楽曲再生装置により再生可能な楽曲数を決定する第２決定手段と、前記第２決定手段により決定された楽曲数に基づいて、前記楽曲再生装置により再生可能な楽曲と関連付けて再生される特定広告コンテンツの再生可能時間を決定する第３決定手段と、前記再生時間から前記再生可能時間を除いた許容時間で再生可能な広告コンテンツを決定する第４決定手段と、前記第４決定手段により決定された広告コンテンツに基づいて、前記広告再生装置により再生させる広告コンテンツの再生リストを作成する作成手段と、を備え、前記広告再生装置は、前記再生リスト作成装置から、作成された再生リストを取得する取得手段と、前記取得手段により取得された再生リストに基づいて、前記広告コンテンツを再生すると共に、前記楽曲再生装置により再生される楽曲に応じて、前記特定広告コンテンツを再生する再生手段と、を備えることを特徴とする。
【０００９】
請求項３に記載の発明は、請求項２に記載のシステムにおいて、前記再生手段は、前記楽曲再生装置により再生される楽曲が再生中であるときに、前記作成手段により作成された再生リストに基づいて再生される前記広告コンテンツに、前記再生中の楽曲と関連付けて再生されると定められた前記特定広告コンテンツを割り込ませて再生することを特徴とする。
【００１０】
請求項４に記載の発明は、請求項２または３に記載のシステムにおいて、前記再生手段は、前記楽曲再生装置により再生される楽曲が再生中であるときに、前記作成手段により作成された再生リストに基づいて再生される１つの前記広告コンテンツの再生が終了した後に前記特定広告コンテンツを再生することを特徴とする。
【００１１】
請求項５に記載の発明は、請求項２乃至４の何れか一項に記載のシステムにおいて、前記楽曲再生装置は、カラオケ楽曲を出力するカラオケ装置であることを特徴とする。
【００１２】
請求項６に記載の発明は、広告コンテンツを再生する再生時間を決定する第１決定手段と、前記再生時間内に、通信可能な楽曲再生装置により再生可能な楽曲数を決定する第２決定手段と、前記第２決定手段により決定された楽曲数に基づいて、前記楽曲再生装置により再生可能な楽曲と関連付けて再生される特定広告コンテンツの再生可能時間を決定する第３決定手段と、前記再生時間から前記再生可能時間を除いた前記許容時間で再生可能な広告コンテンツを決定する第４決定手段と、前記第４決定手段により決定された広告コンテンツに基づいて、前記広告再生装置により再生させる広告コンテンツの再生リストを作成する作成手段と、前記作成手段により作成された再生リストに基づいて、前記広告コンテンツを再生すると共に、前記楽曲再生装置により再生される楽曲に応じて、前記特定広告コンテンツを再生する再生手段と、を備えることを特徴とする。
【００１３】
請求項７に記載の発明は、請求項６に記載の広告再生装置において、前記再生手段は、前記楽曲再生装置により再生される楽曲が再生中であるときに、前記作成手段により作成された再生リストに基づいて再生される前記広告コンテンツに、前記特定広告コンテンツを割り込ませて再生することを特徴とする。
【００１４】
請求項８に記載の発明は、請求項６または７に記載の広告再生装置において、前記再生手段は、前記楽曲再生装置により再生される楽曲が再生中であるときに、前記作成手段により作成された再生リストに基づいて再生される１つの前記広告コンテンツの再生が終了した後に前記特定広告コンテンツを再生することを特徴とする。
【００１５】
請求項９に記載の発明は、請求項６から請求項８のいずれか一項に記載の広告再生装置において、前記広告再生装置は、カラオケ楽曲を再生する楽曲再生手段をさらに備えるカラオケ装置であることを特徴とする。
【００１６】
請求項１０に記載の発明は、広告再生装置により再生される広告コンテンツの再生リストを作成するコンピュータにより実行される再生リスト作成方法であって、広告再生装置により広告コンテンツを再生する再生時間を決定するステップと、前記再生時間内に、前記広告再生装置と通信可能な楽曲再生装置により再生可能な楽曲数を決定するステップと、決定された前記楽曲数に基づいて、前記楽曲再生装置により再生可能な楽曲と関連付けて再生される特定広告コンテンツの再生可能時間を決定するステップと、前記再生時間から前記再生可能時間を除いた許容時間で再生可能な広告コンテンツを決定するステップと、決定された前記広告コンテンツに基づいて、前記広告再生装置により再生させる広告コンテンツの再生リストを作成するステップと、を含むことを特徴とする。
【発明の効果】
【００１７】
請求項１、２、５、６、９、又は１０に記載の発明によれば、予定された時間内に再生させると決定された複数の広告コンテンツ間に、再生中の楽曲に関連付けられた特定広告コンテンツを割り込ませる場合であっても、決定された全ての広告コンテンツを予定された時間内に精度よく再生させることができる。
【００１８】
請求項３又は７に記載の発明によれば、広告コンテンツの再生中に再生が開始された楽曲に関連付けられた特定広告コンテンツを迅速に再生することができる。
【００１９】
請求項４又は８に記載の発明によれば、広告コンテンツの再生中に再生が開始された楽曲に関連付けられた特定広告コンテンツを、広告コンテンツの再生を中断することなく、迅速に再生することができる。
【図面の簡単な説明】
【００２０】
【図１】本実施形態のカラオケシステムＳの概要構成例を示す図である。
【図２】管理サーバ４の制御部４１における処理を示すフローチャートである。
【図３】（Ａ）は、カラオケ装置２の制御部２１における処理を示すフローチャートである。（Ｂ）は、広告表示端末３の制御部３１における処理を示すフローチャートである。
【図４】（Ａ）は、タイアップリストに登録された内容の一例を示す図である。（Ｂ）は、広告再生リストに登録された内容の一例を示す図である。（Ｃ），（Ｄ）は、予約リストに登録された内容の一例を示す図である。
【発明を実施するための形態】
【００２１】
以下、本発明の実施形態を図面に基づいて説明する。なお、以下に説明する実施の形態は、例えばカラオケ店舗において利用されるカラオケシステムに対して、本発明を適用した場合の実施形態である。
【００２２】
［１．カラオケシステムの構成及び動作の概要］
始めに、図１を参照して、本実施形態のカラオケシステムの構成の概要を説明する。図１は、本実施形態のカラオケシステムＳの概要構成例を示す図である。図１に示すように、カラオケシステムＳは、選曲装置１、カラオケ装置２、広告表示端末３、及び管理サーバ４を含んで構成される。カラオケ装置２は、本発明の楽曲再生装置の一例である。広告表示端末３は、本発明の広告再生装置の一例である。管理サーバ４は、本発明の情報処理装置、及び再生リスト作成装置の一例である。選曲装置１、カラオケ装置２、及び広告表示端末３は、例えば、カラオケ店舗のカラオケルーム（客室）に設置される。選曲装置１は、例えば赤外線を介して同室内のカラオケ装置２と通信可能になっている。カラオケ装置２は、選曲装置１からユーザにより行われるカラオケ楽曲の再生を予約する指示を、受信する。カラオケ装置２は、選曲装置１により予約されたカラオケ楽曲を順に再生する。カラオケ装置２は、例えばＬＡＮを介して同室内の広告表示端末３と通信可能になっている。カラオケ装置２及び広告表示端末３は、ＬＡＮ及びルータを介してネットワークＮＷに接続される。ネットワークＮＷは、例えば、インターネット、携帯通信網、及びゲートウェイ等により構成される。広告表示端末３は、カラオケ装置２により再生される楽曲の情報を、ネットワークＮＷを介して取得する。また、管理サーバ４は、ネットワークＮＷに接続される。カラオケ装置２及び広告表示端末３は、ネットワークＮＷを介して管理サーバ４と通信可能になっている。また、管理サーバ４には、ネットワークＮＷを介して広告主の端末５及び管理者の端末６が接続可能になっている。
【００２３】
選曲装置１は、カラオケ装置２に向けて選曲を要求する専用のリモコンである。選曲装置１は、カラオケ店舗の部屋を利用するユーザが楽曲を予約するために用いられる。楽曲には、カラオケ楽曲が含まれる。カラオケ楽曲とは、基となる楽曲のボーカルパートまたはギターなどの所定パートを除いた曲である。ユーザが予約する楽曲は、カラオケ装置２により実行されるゲーム等のアプリケーションであってもよい。選曲装置１は、ユーザにより選曲された楽曲の予約要求をカラオケ装置２へ送信する。
【００２４】
カラオケ装置２は、ユーザにより選曲された楽曲を再生する演奏装置である。カラオケ装置２は、選曲装置１から予約要求を受信すると、楽曲の予約を受け付ける。この予約要求には、予約対象の楽曲に付与された楽曲ＩＤが含まれる。楽曲ＩＤは、楽曲を識別するための識別情報である。言い換えれば、楽曲ＩＤは、楽曲の曲番号である。カラオケ装置２は、予約を受け付けた楽曲の楽曲ＩＤを予約リストに登録する。予約リストに楽曲ＩＤが登録された楽曲は、例えば予約順に再生される。カラオケ装置２は、再生される楽曲について、再生中の楽曲の楽曲ＩＤを含む曲情報を記憶する。カラオケ装置２は、広告表示端末３からの要求に応じて予約リストまたは再生中の楽曲の曲情報を広告表示端末３へ送信する。予約リストには、楽曲が再生中であることを示す再生フラグが登録されてもよい。
【００２５】
広告表示端末３は、広告コンテンツを再生し、ディスプレイへ出力する端末である。広告コンテンツには、広告コンテンツＩＤが付与される。広告コンテンツＩＤは、広告コンテンツを識別するための識別情報である。広告コンテンツには、タイアップ広告コンテンツと、一般広告コンテンツとの２種類がある。タイアップ広告コンテンツは、本発明の特定広告コンテンツの一例である。タイアップ広告コンテンツは、カラオケ装置２により再生可能な楽曲と関連付けて再生させる広告コンテンツである。タイアップ広告コンテンツは、例えば、タイアップ広告管理リストにより、カラオケ装置２により再生可能な楽曲と関連付けが定められている。タイアップ広告コンテンツは、このタイアップ広告コンテンツと関連付けられた楽曲が再生中であるときに再生される広告コンテンツである。よって、タイアップ広告コンテンツを再生するときは、カラオケ装置２から取得される予約リストまたは再生中の楽曲の曲情報により判断する処理が必要となる。タイアップ広告コンテンツの例としては、楽曲に関連する広告情報が挙げられる。この広告情報には、例えば、楽曲のアーティストのコンサートなどのイベント情報がある。楽曲が再生中であるときに、この楽曲に関連付けられたタイアップ広告コンテンツが再生されるため、タイアップ広告コンテンツによる広告対象の広告効果を高めることができる。一般広告コンテンツは、システム運営者と広告主との取り決めに従って再生させる広告コンテンツである。一般広告コンテンツは、楽曲と関連付けられない。一般広告コンテンツは、カラオケ装置２により楽曲が再生中であるときと、楽曲が再生中でないときとのいずれのときにおいても、再生されてよい広告コンテンツである。よって、一般広告コンテンツを再生するときは、カラオケ装置２から取得される予約リストまたは再生中の楽曲の曲情報により判断する処理は不要である。一般広告コンテンツは、例えば、楽曲との関連付けが定められておらず、楽曲とは無関係な広告コンテンツである。一例としては、広告主である企業に関する広告情報が挙げられる。この広告情報には、例えば、広告主である企業により提供される商品またはサービスの情報がある。
【００２６】
広告表示端末３は、管理サーバ４により作成されたタイアップリスト及び広告再生リストを取得する。タイアップリストは、カラオケ装置２により再生される楽曲に応じて再生させるタイアップ広告コンテンツのリストである。広告再生リストは、予め決定された広告再生繰返し周期で繰り返して再生させる一般広告コンテンツのリストである。広告再生繰返し周期とは、例えば、広告再生リストに登録された順番が先頭の一般広告コンテンツから最後の一般広告コンテンツまでを再生する１周の時間である。広告再生繰返し周期は、本発明における「広告コンテンツを再生する再生時間」の一例である。広告再生リストには、タイアップ広告コンテンツを割り込ませる場合であっても、広告再生繰返し周期内に再生可能な数の一般広告コンテンツが登録される。広告表示端末３は、タイアップリスト及び広告再生リストに基づいて、一般広告コンテンツを再生すると共に、カラオケ装置２により再生される楽曲に応じて、タイアップ広告コンテンツを再生する。なお、広告表示端末３は、広告再生リストで規定された順番に従って一般広告コンテンツを再生し、順番が最後の一般広告コンテンツを再生した場合、先頭の一般広告コンテンツに戻って再生を継続する。
【００２７】
管理サーバ４は、楽曲及び広告コンテンツを管理するサーバである。管理サーバ４は、タイアップリスト及び広告再生リストを作成する。タイアップリスト及び広告再生リストの作成方法については後述する。管理サーバ４は、広告表示端末３からの要求に応じてタイアップリスト及び広告再生リストを広告表示端末３へ送信する。
【００２８】
［２．カラオケ装置２、広告表示端末３、及び管理サーバ４の構成］
次に、図１を参照して、カラオケ装置２、広告表示端末３、及び管理サーバ４の構成について説明する。
【００２９】
カラオケ装置２は、制御部２１、記憶部２２、ビデオＲＡＭ２３、映像再生部２４、表示処理部２５、マイク制御部２６、シンセサイザ２７、ミキシングアンプ２８、操作部２９ａ、操作処理部２９ｂ、赤外線受信部２９ｃ、及び通信部２９ｄ等を備えて構成される。制御部２１は、ＣＰＵ、ＲＯＭ、及びＲＡＭ等により構成される。記憶部２２は、例えば、ハードディスク等により構成される。記憶部２２には、ＯＳ（オペレーティングシステム）及び楽曲再生処理プログラムが記憶されている。制御部２１は、ＯＳ及び楽曲再生処理プログラムを実行することにより、カラオケ装置２全体を統括制御する。制御部２１は、楽曲再生手段の一例である。記憶部２２には、予約された楽曲の予約リストが記憶される。予約リストには、例えば、楽曲の楽曲ＩＤが予約順に登録される。記憶部２２には、再生中の楽曲の楽曲ＩＤを含む曲情報が記憶される。記憶部２２には、再生される楽曲の楽曲ＩＤが記憶される。そして、再生される楽曲が予約リストの予約順が次の楽曲に更新されるたびに、記憶される楽曲の楽曲ＩＤが更新される。記憶部２２には、楽曲に対応する音声データ及び映像データ等が記憶される。シンセサイザ２７は、制御部２１の制御の下、音声データを用いて楽曲の再生を行い、楽曲の音声信号をミキシングアンプ２８へ出力する。マイク制御部２６は、マイクにより集音されたユーザの歌唱音声信号をミキシングアンプ２８へ出力する。ミキシングアンプ２８は、楽曲の音声信号と歌唱音声信号とをミキシングしてスピーカへ出力する。映像再生部２４は、制御部２１の制御の下、映像データを用いて楽曲の再生を行い、楽曲の映像信号を表示処理部２５へ出力する。表示処理部２５は、楽曲の映像信号をディスプレイへ出力して映像を表示させる。制御部２１は、ユーザによる操作部２９ａからの指示を、操作処理部２９ｂを介して受け付ける。赤外線受信部２９ｃは、選曲装置１との間で赤外線通信を行う。
【００３０】
広告表示端末３は、制御部３１、記憶部３２、表示処理部３３、及び通信部３４等を備えて構成される。制御部３１は、ＣＰＵ、ＲＯＭ、及びＲＡＭ等により構成され、時計機能及びタイマー機能を備える。記憶部３２は、例えば、ハードディスク等により構成される。記憶部３２には、ＯＳ及び広告表示処理プログラム等が記憶されている。制御部３１は、ＯＳ及び広告表示処理プログラムを実行することにより、広告表示端末３全体を統括制御する。制御部３１は、本発明の取得手段及び再生手段等の一例である。記憶部３２には、予約リスト、タイアップリスト、及び広告再生リストが記憶される。また、記憶部３２には、タイアップリスト又は広告再生リストに基づいて取得されたタイアップ広告コンテンツ及び一般広告コンテンツがそれぞれ所定のファイル形式で記憶される。タイアップ広告コンテンツ及び一般広告コンテンツは、例えば静止画データ又は動画データにより構成される。記憶部３２には、カラオケ装置２から取得された予約リストまたは再生中の楽曲の曲情報が記憶される。制御部３１は、一般広告コンテンツを再生すると共に、カラオケ装置２により再生される楽曲に応じてタイアップ広告コンテンツを再生し、広告の画像信号を表示処理部３３へ出力する。表示処理部３３は、広告の画像信号をディスプレイへ出力して静止画又は動画を表示させる。なお、広告表示端末３にディスプレイが備えられているとき、広告表示端末３は、カラオケ装置２による楽曲の再生に従って、映像を表示するディスプレイとして使用可能である。
【００３１】
管理サーバ４は、制御部４１、記憶部４２、及び通信部４３等を備えて構成される。制御部４１は、ＣＰＵ、ＲＯＭ、及びＲＡＭ等により構成される。記憶部４２は、例えば、ハードディスク等により構成される。記憶部４２には、ＯＳ及びサーバ処理プログラム等が記憶されている。制御部４１は、ＯＳ及びサーバ処理プログラムを実行することにより、管理サーバ４全体を統括制御する。制御部４１は、本発明の第１〜第４決定手段、及び作成手段等の一例である。記憶部４２には、カラオケ装置２により再生可能な楽曲の情報を管理する楽曲管理リストが記憶される。楽曲管理リストには、楽曲の楽曲ＩＤ及び再生時間等の情報が楽曲ごとに登録される。また、記憶部４２には、タイアップ広告管理リスト、及び一般広告管理リストが記憶される。タイアップ広告管理リストは、例えば広告主の端末５または管理者の端末６からネットワークＮＷを介して管理サーバ４にアップロードされたタイアップ広告コンテンツの情報を管理するリストである。一般広告管理リストは、例えば広告主の端末５または管理者の端末６からネットワークＮＷを介して管理サーバ４にアップロードされた一般広告コンテンツの情報を管理するリストである。また、記憶部４２には、管理サーバ４にアップロードされた複数のタイアップ広告コンテンツ及び複数の一般広告コンテンツがそれぞれ所定のファイル形式で記憶される。
【００３２】
［３．カラオケシステムＳの広告再生動作］
次に、図２乃至図４を参照して、カラオケシステムＳの広告再生動作を説明する。図２は、管理サーバ４の制御部４１における処理を示すフローチャートである。図３（Ａ）は、カラオケ装置２の制御部２１における処理を示すフローチャートである。図３（Ｂ）は、広告表示端末３の制御部３１における処理を示すフローチャートである。図４（Ａ）は、タイアップリストに登録された内容の一例を示す図である。図４（Ｂ）は、広告再生リストに登録された内容の一例を示す図である。図４（Ｃ），（Ｄ）は、予約リストに登録された内容の一例を示す図である。
【００３３】
（３．１  管理サーバ４の処理）
先ず、図２を参照して、管理サーバ４の処理を説明する。図２に示す処理は、例えば、管理サーバ４の電源オンにより開始される。図２に示す処理が開始されると、管理サーバ４の制御部４１は、一般広告コンテンツの登録要求があったか否かを判定する（ステップＳ１）。例えば、制御部４１は、広告主の端末５から一般広告コンテンツの登録要求を受信した場合に、一般広告コンテンツの登録要求があったと判定する。一般広告コンテンツの登録要求があったと判定された場合（ステップＳ１：ＹＥＳ）、ステップＳ２へ進む。一般広告コンテンツの登録要求がないと判定された場合（ステップＳ１：ＮＯ）、ステップＳ４へ進む。
【００３４】
ステップＳ２では、制御部４１は、例えば広告主の端末５または管理者の端末６からアップロードされた一般広告コンテンツに対して広告コンテンツＩＤを付与して記憶部４２に記憶する。次いで、制御部４１は、例えば、一般広告コンテンツの広告コンテンツＩＤ、一般広告コンテンツの再生時間、及び登録日時を対応付けて一般広告管理リストに登録する（ステップＳ３）。
【００３５】
ステップＳ４では、制御部４１は、タイアップ広告コンテンツの登録要求があったか否かを判定する。例えば、制御部４１は、広告主の端末５または管理者の端末６からタイアップ広告コンテンツの登録要求を受信した場合に、タイアップ広告コンテンツの登録要求があったと判定する。タイアップ広告コンテンツの登録要求があったと判定された場合（ステップＳ４：ＹＥＳ）、ステップＳ５へ進む。タイアップ広告コンテンツの登録要求がないと判定された場合（ステップＳ４：ＮＯ）、ステップＳ７へ進む。
【００３６】
ステップＳ５では、制御部４１は、例えば広告主の端末５または管理者の端末６からアップロードされたタイアップ広告コンテンツに対して広告コンテンツＩＤを付与して記憶部４２に記憶する。また、タイアップ広告コンテンツには、このタイアップ広告コンテンツに関連付けられる楽曲の楽曲ＩＤが付与される。楽曲ＩＤは、例えばタイアップ広告コンテンツの登録要求を行った広告主の端末５または管理者の端末６において付与される。次いで、制御部４１は、タイアップ広告コンテンツの広告コンテンツＩＤ、楽曲の楽曲ＩＤ、タイアップ広告コンテンツの再生時間、及び登録日時を対応付けてタイアップ広告管理リストに登録する（ステップＳ６）。
【００３７】
ステップＳ７では、制御部４１は、広告再生リスト作成条件の設定要求があったか否かを判定する。例えば、制御部４１は、管理者の端末６から広告再生リスト作成条件の設定要求を受信した場合に、広告再生リスト作成条件の設定要求があったと判定する。広告再生リスト作成条件の設定要求があったと判定された場合（ステップＳ７：ＹＥＳ）、ステップＳ８へ進む。広告再生リスト作成条件の設定要求がないと判定された場合（ステップＳ７：ＮＯ）、ステップＳ１１へ進む。
【００３８】
ステップＳ８では、制御部４１は、管理者の端末６からの広告再生リスト作成条件の設定要求に応じて、広告再生繰返し周期を決定し設定ファイルに登録する。広告再生繰返し周期は、例えば管理者により端末６から入力された値に基づいて決定される。つまり、広告再生繰返し周期は、管理者により端末６を用いて手動入力がされて設定される。或いは、制御部４１は、カラオケ店舗を利用するユーザの平均滞在時間に基づいて広告再生繰返し周期を決定するように構成してもよい。この場合、例えば、カラオケ店舗を利用するユーザの滞在時間が管理サーバ４により管理される。そして、制御部４１は、管理されている複数の滞在時間から平均滞在時間を算出する。
【００３９】
次いで、制御部４１は、管理者の端末６からの広告再生リスト作成条件の設定要求に応じて、楽曲の再生時間を決定し設定ファイルに登録する（ステップＳ９）。楽曲の再生時間は、１曲あたりの再生時間である。制御部４１は、例えば、楽曲管理リストに登録された楽曲の再生時間の中で最小値を楽曲の再生時間として決定する。
【００４０】
次いで、制御部４１は、管理者の端末６からの広告再生リスト作成条件の設定要求に応じて、タイアップ広告コンテンツの再生時間を決定し設定ファイルに登録する（ステップＳ１０）。タイアップ広告コンテンツの再生時間は、１コンテンツあたりの再生時間である。制御部４１は、例えば、タイアップ広告管理リストに登録されたタイアップ広告コンテンツの再生時間の中で最大値をタイアップ広告コンテンツの再生時間として決定する。なお、設定ファイルは、記憶部４２に記憶される。
【００４１】
ステップＳ１１では、制御部４１は、タイアップリスト及び広告再生リストの作成要求があったか否かを判定する。例えば、制御部４１は、広告主の端末５または管理者の端末６からタイアップリスト及び広告再生リストの作成要求を受信した場合に、タイアップリスト及び広告再生リストの作成要求があったと判定する。タイアップリスト及び広告再生リストの作成要求があったと判定された場合（ステップＳ１１：ＹＥＳ）、ステップＳ１２へ進む。タイアップリスト及び広告再生リストの作成要求がないと判定された場合（ステップＳ１１：ＮＯ）、ステップＳ１４へ進む。
【００４２】
ステップＳ１２では、制御部４１は、タイアップリストの作成処理を実行する。タイアップリストの作成処理では、例えば、制御部４１は、タイアップ広告管理リストから、タイアップ広告コンテンツの広告コンテンツＩＤ、楽曲の楽曲ＩＤ、及びタイアップ広告コンテンツの再生時間を取得する。そして、制御部４１は、図４（Ａ）に示すように、取得したタイアップ広告コンテンツの広告コンテンツＩＤ、楽曲の楽曲ＩＤ、及びタイアップ広告コンテンツの再生時間を登録するタイアップリストを作成する。作成されたタイアップリストは、記憶部４２に記憶される。
【００４３】
次いで、制御部４１は、広告再生リストの作成処理を実行する（ステップＳ１３）。広告再生リストの作成処理では、制御部４１は、記憶部４２に記憶された設定ファイルから広告再生繰返し周期、楽曲の再生時間、及びタイアップ広告コンテンツの再生時間を読み込む（ステップＳ１３１）。次いで、制御部４１は、広告再生繰返し周期内に、カラオケ装置２により再生可能な楽曲の数を決定する（ステップＳ１３２）。例えば、広告再生繰返し周期が「３０分」に、楽曲の再生時間が「５分」にそれぞれ設定されているとする。この場合、広告再生繰返し周期内に再生可能な楽曲数は、３０（分）／５（分）＝６（曲）として決定される。つまり、広告再生繰返し周期内に最大で６曲再生される可能性がある。
【００４４】
次いで、制御部４１は、ステップＳ１３２で決定された楽曲数に基づいて、タイアップ広告コンテンツの再生可能時間を決定する（ステップＳ１３３）。例えば、タイアップ広告コンテンツの再生時間が「３０秒」に設定されているとする。この場合、タイアップ広告コンテンツの再生可能時間は、６（曲）×３０（秒）＝１８０（秒）として決定される。つまり、割り込みで再生されるタイアップ広告コンテンツの最大の再生時間は１８０秒となる。
【００４５】
次いで、制御部４１は、広告再生繰返し周期から、ステップＳ１３３で決定された再生可能時間を除いた許容時間を算出する（ステップＳ１３４）。例えば、許容時間は、３０（分）−１８０（秒）＝２７（分）として決定される。次いで、制御部４１は、ステップＳ１３４で決定された許容時間で再生可能な一般広告コンテンツを一般広告管理リストから決定する（ステップＳ１３５）。例えば、一般広告管理リストに登録されている一般広告コンテンツの再生時間に基づいて、上記許容時間内に収まるように一般広告管理リストから一般広告コンテンツを決定する。例えば、一般広告管理リストに登録されている一般広告コンテンツの再生時間が全て「６０秒」であるとする。この場合、２７（分）／６０（秒）＝２７個の一般広告コンテンツが決定されることになる。
【００４６】
次いで、制御部４１は、ステップＳ１３５で決定された一般広告コンテンツに基づいて、図４（Ｂ）に示すように、広告再生リストを作成する（ステップＳ１３６）。図４（Ｂ）の例では、広告再生リストには、一般広告管理リストから取得された一般広告コンテンツの広告コンテンツＩＤ、及び一般広告コンテンツの再生時間が登録されている。作成された広告再生リストは、記憶部４２に記憶される。
【００４７】
ステップＳ１４では、制御部４１は、タイアップリスト及び広告再生リストの取得要求があったか否かを判定する。広告表示端末３からタイアップリスト及び広告再生リストの取得要求が受信された場合、タイアップリスト及び広告再生リストの取得要求があったと判定される（ステップＳ１４：ＹＥＳ）。この場合、制御部４１は、取得要求されたタイアップリスト及び広告再生リストを記憶部４２から取得し広告表示端末３へ送信する（ステップＳ１５）。タイアップリスト及び広告再生リストの取得要求がないと判定された場合（ステップＳ１４：ＮＯ）、ステップＳ１６へ進む。
【００４８】
ステップＳ１６では、制御部４１は、広告コンテンツの取得要求があったか否かを判定する。この広告コンテンツは、タイアップ広告コンテンツまたは一般広告コンテンツである。広告表示端末３から広告コンテンツの取得要求が受信された場合、広告コンテンツの取得要求があったと判定される（ステップＳ１６：ＹＥＳ）。この場合、制御部４１は、広告コンテンツの取得要求に含まれる広告コンテンツＩＤに対応する広告コンテンツを記憶部４２から取得し広告表示端末３へ送信する（ステップＳ１７）。広告コンテンツの取得要求がないと判定された場合（ステップＳ１６：ＮＯ）、ステップＳ１８へ進む。
【００４９】
ステップＳ１８では、制御部４１は、電源オフ指令があったか否かを判定する。電源オフ指令があったと判定された場合（ステップＳ１８：ＹＥＳ）、図２に示す処理を終了する。電源オフ指令がないと判定された場合（ステップＳ１８：ＮＯ）、ステップＳ１に戻る。
【００５０】
なお、上記ステップＳ１０において最大値をタイアップ広告コンテンツの再生時間として決定すれば、ステップＳ１３３で決定された再生可能時間よりも長い時間、タイアップ広告コンテンツが広告再生繰返し周期内に実際に再生されることを防ぐことができる。そのため、楽曲の再生に応じてタイアップ広告コンテンツが予定よりも長く再生されることがないので、ステップＳ１３６で決定された全ての一般広告コンテンツを予定された広告再生繰返し周期内に再生させることができる。
【００５１】
また、上記ステップＳ９において最小値を楽曲の再生時間として決定すれば、ステップＳ１３２で決定された楽曲数よりも多い数の楽曲が広告再生繰返し周期内に実際に再生されることを防ぐことができる。そのため、楽曲の再生に応じてタイアップ広告コンテンツが予定よりも多く再生されることがないので、ステップＳ１３６で決定された全ての一般広告コンテンツを予定された広告再生繰返し周期内に再生させることができる。ただし、例えばユーザにより楽曲の再生が途中で（例えば、１分程度で）強制終了されて次の楽曲に再生が移行される場合がある。この場合、上記ステップＳ９において最小値が楽曲の再生時間として決定されていても、ステップＳ１３２で決定された楽曲数よりも多い数の楽曲が広告再生繰返し周期内に実際に再生されることになる。そのため、楽曲の再生が途中で強制終了される場合も含めた楽曲の実際の再生時間の平均値を、上記ステップＳ９で楽曲の再生時間として決定するように構成してもよい。この構成によれば、楽曲の再生が途中で強制終了された場合であっても、ステップＳ１３６で決定された全ての一般広告コンテンツを予定された広告再生繰返し周期内に再生させることができる。また、楽曲の実際の再生時間の平均値以外にも、楽曲の実際の再生時間の統計をとって求められた値が上記ステップＳ９で決定されるように構成してもよい。なお、楽曲の実際の再生時間は、ログ情報としてカラオケ装置２から管理サーバ４へ送信される。
【００５２】
（３．２  カラオケ装置２の処理）
次に、図３（Ａ）を参照して、カラオケ装置２の処理を説明する。図３（Ａ）に示す処理は、例えば、カラオケ装置２の電源オンにより開始される。図３（Ａ）に示す処理が開始されると、カラオケ装置２の制御部２１は、楽曲の予約要求があったか否かを判定する（ステップＳ３１）。ユーザにより選曲された例えばカラオケ楽曲の予約要求が選曲装置１から受信された場合、楽曲の予約要求があったと判定される（ステップＳ３１：ＹＥＳ）。この場合、制御部２１は、楽曲の予約要求に含まれる楽曲ＩＤを予約リストに登録する（ステップＳ３２）。楽曲の予約要求がないと判定された場合（ステップＳ３１：ＮＯ）、ステップＳ３３へ進む。
【００５３】
ステップＳ３３では、制御部２１は、予約リストに登録された楽曲が再生されたか否かを判定する。予約リストに登録された楽曲が再生されたと判定された場合（ステップＳ３３：ＹＥＳ）、ステップＳ３４へ進む。予約リストに登録された楽曲が再生されていないと判定された場合（ステップＳ３３：ＮＯ）、ステップＳ３５へ進む。
【００５４】
ステップＳ３４では、制御部２１は、図４（Ｃ）に示すように、再生された楽曲の楽曲ＩＤに対応付けて再生フラグを予約リストに登録する。再生フラグは、楽曲が再生中であることを示す情報である。ステップＳ３５では、制御部２１は、予約リストの取得要求があったか否かを判定する。広告表示端末３から予約リストの取得要求が受信された場合、予約リストの取得要求があったと判定される（ステップＳ３５：ＹＥＳ）。この場合、制御部２１は、取得要求された予約リストを記憶部２２から取得し広告表示端末３へ送信する（ステップＳ３６）。予約リストの取得要求がないと判定された場合（ステップＳ３５：ＮＯ）、ステップＳ３７へ進む。
【００５５】
ステップＳ３７では、制御部２１は、電源オフ指令があったか否かを判定する。電源オフ指令があったと判定された場合（ステップＳ３７：ＹＥＳ）、図３（Ａ）に示す処理を終了する。電源オフ指令がないと判定された場合（ステップＳ３７：ＮＯ）、ステップＳ３１に戻る。
【００５６】
（３．３  広告表示端末３の処理）
次に、図３（Ｂ）を参照して、広告表示端末３の処理を説明する。図３（Ｂ）に示す処理は、例えば、広告表示端末３の電源オンにより開始される。図３（Ｂ）に示す処理が開始されると、広告表示端末３の制御部３１は、タイアップリスト及び広告再生リストの取得要求を管理サーバ４へ送信することでタイアップリスト及び広告再生リストを管理サーバ４から取得する（ステップＳ４１）。ステップＳ４１の処理は、例えばタイマーにより設定された時間（例えば、１時間）がカウントアップした場合に行われるように構成してもよい。
【００５７】
次いで、広告表示端末３の制御部３１は、取得したタイアップリスト及び広告再生リストを参照して、広告コンテンツの更新があるか否かを判定する（ステップＳ４２）。取得したタイアップリスト又は広告再生リストの中に、記憶部３２に記憶されていない広告コンテンツの広告コンテンツＩＤが含まれる場合、広告コンテンツの更新があると判定される。広告コンテンツの更新があると判定された場合（ステップＳ４２：ＹＥＳ）、ステップＳ４３へ進む。広告コンテンツの更新がないと判定された場合（ステップＳ４２：ＮＯ）、ステップＳ４４へ進む。
【００５８】
ステップＳ４３では、制御部３１は、広告コンテンツの取得要求を管理サーバ４へ送信することで最新の広告コンテンツを管理サーバ４から取得する。広告コンテンツの取得要求には、記憶部３２に記憶されていない広告コンテンツの広告コンテンツＩＤが含まれる。ステップＳ４４では、制御部３１は、楽曲が再生中であるか否かを判定する。例えば、カラオケ装置２から取得された予約リストに再生フラグが登録されている場合、楽曲が再生中であると判定される。楽曲が再生中であると判定された場合（ステップＳ４４：ＹＥＳ）、ステップＳ４６へ進む。楽曲が再生中でないと判定された場合（ステップＳ４４：ＮＯ）、ステップＳ４５へ進む。なお、カラオケ装置２から未だ予約リストが取得されていない場合も、ステップＳ４５へ進む。
【００５９】
ステップＳ４５では、制御部３１は、管理サーバ４から取得された広告再生リストに基づいて一般広告コンテンツを再生し、ディスプレイに表示させる。ステップＳ４６では、制御部３１は、予約リストから、再生中の楽曲の楽曲ＩＤを取得する。つまり、再生フラグが対応付けられた楽曲ＩＤが予約リストから取得される。次いで、制御部３１は、再生中の楽曲に関連付けられたタイアップ広告コンテンツがあるか否かを判定する（ステップＳ４７）。この判定は、例えば、カラオケ装置２から取得された予約リストと、管理サーバ４から取得されたタイアップリストとに基づいて行われる。例えば、図４（Ｃ）に示す予約リストでは、楽曲ＩＤ“55555”が付与された楽曲が再生中である。しかし、例えば、図４（Ａ）に示すタイアップリストには、楽曲ＩＤ“55555”が登録されていない。そのため、再生中の楽曲に関連付けられたタイアップ広告コンテンツがないと判定され（ステップＳ４７：ＮＯ）、一般広告コンテンツが表示される（ステップＳ４５）。その後に、ステップＳ４９で取得された予約リストの内容が、図４（Ｄ）に示すように変わっていたとする。この場合、図４（Ａ）に示すタイアップリストには、再生中の楽曲に付与された楽曲ＩＤ“11111”に対応付けられて広告コンテンツＩＤ“AAA”が登録されている。そのため、再生中の楽曲に関連付けられたタイアップ広告コンテンツがあると判定され（ステップＳ４７：ＹＥＳ）、ステップＳ４８へ進む。
【００６０】
ステップＳ４８では、制御部３１は、再生中の楽曲に関連付けられたタイアップ広告コンテンツを再生し、ディスプレイに表示させる。例えば、制御部３１は、カラオケ装置２により再生される楽曲が再生中であるときに、広告再生リストに基づいて再生される一般広告コンテンツに、再生中の楽曲に関連付けて再生されると定められたタイアップ広告コンテンツを割り込ませて再生する。一つの例として、制御部３１は、広告再生リストに基づいて再生される１つの一般広告コンテンツの再生が終了した後に、再生中の楽曲に関連付けられたタイアップ広告コンテンツを再生する。例えば、図４（Ｂ）に示す広告再生リストに登録された広告コンテンツＩＤ“Z2”が付与された一般広告コンテンツが再生されているとき、楽曲ＩＤ“11111”が付与された楽曲が再生中である場合は、広告コンテンツＩＤ“Z2”が付与された一般広告コンテンツの再生終了後、広告コンテンツＩＤ“Z3”が付与された一般広告コンテンツの再生開始前に、再生中の楽曲である楽曲ＩＤ“11111”が関連付けられた広告コンテンツＩＤ“AAA”のタイアップ広告コンテンツが再生される。これにより、一般広告コンテンツの再生中に再生が開始された楽曲に関連付けられたタイアップ広告コンテンツを、一般広告コンテンツの表示を中断することなく、迅速に再生することができる。
【００６１】
なお、別の例として、カラオケ装置２により再生される楽曲が再生中であるときに、広告再生リストに基づいて再生される１つの一般広告コンテンツの再生を中断して、タイアップ広告コンテンツを割り込ませて再生するように構成しても構わない。この場合、中断された一般広告コンテンツの再生は、例えばタイアップ広告コンテンツの再生終了後に再開される。
【００６２】
そして、図３（Ｂ）に示すステップＳ４９では、制御部３１は、予約リストの取得要求をカラオケ装置２へ送信することで予約リストをカラオケ装置２から取得し、ステップＳ５０へ進む。
【００６３】
ステップＳ５０では、制御部３１は、電源オフ指令があったか否かを判定する。電源オフ指令があったと判定された場合（ステップＳ５０：ＹＥＳ）、図３（Ｂ）に示す処理を終了する。電源オフ指令がないと判定された場合（ステップＳ５０：ＮＯ）、ステップＳ４１に戻る。
【００６４】
以上説明したように、上記実施形態によれば、管理サーバ４は、決定された広告再生繰返し周期内に、カラオケ装置２により再生可能な楽曲数を決定し、決定された楽曲数に基づいて、カラオケ装置２により再生可能な楽曲と関連付けて再生されるタイアップ広告コンテンツの再生可能時間を決定する。管理サーバ４は、広告再生繰返し周期から再生可能時間を除いた許容時間で再生可能な一般広告コンテンツを決定し、決定された一般広告コンテンツに基づいて、広告再生リストを作成する。そして、広告表示端末３は、管理サーバ４から取得した広告再生リストに基づいて、一般広告コンテンツを再生すると共に、カラオケ装置２により再生される楽曲に応じて、タイアップ広告コンテンツを再生するように構成した。そのため、予定された時間内に再生させると決定された複数の一般広告コンテンツ間に、再生中の楽曲に関連付けられたタイアップ広告コンテンツを割り込ませる場合であっても、決定された全ての一般広告コンテンツを予定された時間内に精度よく再生させることができる。
【００６５】
なお、上記実施形態においては、広告表示端末３は、カラオケ装置２から予約リストを取得するように構成した。しかし、予約リストの代わりに再生中の楽曲の楽曲ＩＤを含む曲情報をカラオケ装置２から取得するように構成してもよい。この場合、上記ステップＳ４７の判定は、カラオケ装置２から取得された曲情報が含む楽曲ＩＤと、管理サーバ４から取得されたタイアップリストとに基づいて行われることになる。また、上記実施形態においては、広告表示端末３は、再生中の楽曲に関連付けられたタイアップ広告コンテンツを再生するように構成した。しかし、楽曲が予約された段階で、予約された楽曲に関連付けられたタイアップ広告コンテンツを再生するように構成してもよい。
【００６６】
また、上記実施形態において、カラオケ装置２が管理サーバ４の代わりに、図２に示すステップＳ７〜Ｓ１５の処理を実行するように構成してもよい。この場合、管理サーバ４は、上述した広告コンテンツを管理し、カラオケ装置２からの要求に応じて、タイアップ広告管理リスト及び一般広告管理リストをカラオケ装置２へ提供するように構成される。なお、この場合、カラオケ装置２の制御部２１が、本発明の第１〜第４決定手段、及び作成手段等として機能する。
【００６７】
また、上記実施形態において、広告表示端末３が管理サーバ４の代わりに、図２に示すステップＳ７〜Ｓ１３の処理を実行するように構成してもよい。この場合、管理サーバ４のステップＳ１４では、制御部４１は、タイアップリスト及び広告再生リストの取得要求があったか否かを判定する処理に代えて、管理サーバ４が管理する広告コンテンツを示すリストの取得要求があったか否かを判定する処理を行う。広告コンテンツを示すリストとは、例えば、上述したタイアップ広告管理リスト、及び一般広告管理リストである。管理サーバ４が管理する広告コンテンツを示すリストの取得要求が受信された場合、リストの取得要求があったと判定される（ステップＳ１４：ＹＥＳ）。この場合、制御部４１は、取得要求されたタイアップ広告管理リスト、及び一般広告管理リストを記憶部４２から取得し広告表示端末３へ送信する（ステップＳ１５）。リストの取得要求がないと判定された場合（ステップＳ１４：ＮＯ）、ステップＳ１６へ進む。なお、この場合、広告表示端末３の制御部３１が、本発明の第１〜第４決定手段、及び作成手段等として機能する。
【００６８】
また、上記実施形態においては、本発明のシステムをカラオケシステムに適用した場合の例について説明したが、カラオケシステム以外の例えば広告配信システムに対して適用することも可能である。
【符号の説明】
【００６９】
１  選曲装置
２  カラオケ装置
３  広告表示端末
４  管理サーバ
４１  制御部
４２  記憶部
４３  通信部
【図２】
2014029441.tif 000003
【図３】
2014029441.tif 000004
【図４】
2014029441.tif 000005
【図１】
2014029441.tif 000006